(57)【特許請求の範囲】
【請求項１】
一以上の被写体を撮影手段で撮影した撮影画像、又は／及び他の取得手段で取得の取得画像といった編集対象画像を編集手段で編集許容して編集画像を作成許容し、
所定の画像を出力手段で出力する写真撮影編集方法であって、
前記編集手段の正面に、利用者が乗って膝立ちできる膝立ち椅子が設けられ、
該膝立ち椅子に利用者が乗ったことを検知する利用者検知手段が備えられて、
該利用者検知手段で利用者を検知した場合に、編集開始手段が前記編集対象画像の表示を開始することにより前記編集手段による編集許容を開始して、膝立ち椅子に膝を乗せて膝立ちした状態での前記編集手段による編集を利用者に許容する
写真撮影編集方法。
【請求項２】
前記膝立ち椅子の横幅が、前記編集手段の正面に形成される編集空間の横幅全体の長さに形成され、
この横幅全体のどの位置で膝立ちした利用者に対しても前記編集手段による編集を許容する
請求項１記載の写真撮影編集方法。
【請求項３】
一以上の被写体を撮影手段で撮影した撮影画像、又は／及び他の取得手段で取得の取得画像といった編集対象画像を編集して編集画像を作成する編集手段と、
所定の画像を出力する出力手段とを備えた写真撮影編集装置であって、
前記編集手段の正面に、利用者が乗って膝立ちできる膝立ち椅子を設け、
該膝立ち椅子に利用者が乗ったことを検知する利用者検知手段と、
該利用者検知手段で利用者を検知した場合に、前記編集対象画像の表示を開始することにより前記編集手段による編集許容を開始する編集開始手段とを備えた
写真撮影編集装置。
【請求項４】
前記膝立ち椅子の横幅を、前記編集手段の正面に形成される編集空間の横幅全体の長さに形成した
請求項３記載の写真撮影編集装置。
【発明の詳細な説明】
【技術分野】
【０００１】
この発明は、例えば被写体を撮影して撮影画像を取得し、この撮影画像に編集許容して編集画像を取得し、この編集画像を出力するような写真撮影編集方法およびその装置に関する。
【背景技術】
【０００２】
従来、写真撮影、編集、および写真シールシートの排出を行う写真撮影編集装置が、娯楽（遊戯）施設等に設置されている。この写真撮影編集装置を利用する利用者は、撮影空間にて写真撮影し、編集空間に移動して撮影画像に多種多様な編集（落書き）を施して遊び、出来上がった印刷用画像をシール紙に印刷をするという一連のゲームを楽しむ。写真撮影編集装置は、この一連の流れにおける撮影や編集といった各処理に時間制限を設けており、利用者に対して撮影や編集を許容する時間を決めている。
【０００３】
近年、利用者は、撮影よりも編集に重点を置いて遊んでいる傾向がある。このため、編集空間に椅子が設置された写真撮影編集装置や、編集用の入力装置を持ち運んで広々とした編集空間に移動して編集ができる写真撮影編集装置が提案されている（特許文献１、２参照）。これにより、利用者は座った状態で編集を楽しむことができる。
【０００４】
ここで、写真撮影編集装置は、利用者として主に女子中高校生に多く利用されている。女子中高校生は、２人もしくは多人数で、平日の下校時であれば制服姿のままで写真撮影編集装置を利用し、休日であれば友達同士で遊びに出かけて写真撮影編集装置を利用している。このような女子中高校生の利用者は、スカートを着用していることが多く、スカート姿でゲームを楽しんでいる。
【０００５】
このため、写真撮影編集装置の編集空間に数人がけのソファ等を設置すると、利用者の大半を占める女性利用者は、スカート姿でソファ等をまたぐといった行儀の悪い所作を行わず、ソファ等に沿ってぐるりと回りながら、編集画面の前を横歩き（蟹歩き）してソファ等に座ることになる。
【０００６】
このように、編集空間に設けられたソファ等は、一旦座ればくつろいで編集できるものの、それまでの移動に不便であり、利用者の利便性に欠けるものであった。
【０００７】
【特許文献１】特許第３７０７６８１号公報
【特許文献２】特開２００４−４０６３９号公報
【発明の開示】
【発明が解決しようとする課題】
【０００８】
この発明は、上述の問題に鑑み、利用者にとって利便性が高い写真撮影編集方法およびその装置を提供することを目的とする。
【課題を解決するための手段】
【０００９】
この発明は、一以上の被写体を撮影手段で撮影した撮影画像、又は／及び他の取得手段で取得の取得画像といった編集対象画像を編集手段で編集許容して編集画像を作成許容し、所定の画像を出力手段で出力する写真撮影編集方法またはその装置であって、前記編集手段の正面に、利用者が乗って膝立ちできる膝立ち椅子が設けられ、該膝立ち椅子に利用者が乗ったことを検知する利用者検知手段が備えられて、該利用者検知手段で利用者を検知した場合に、編集開始手段が前記編集対象画像の表示を開始することにより前記編集手段による編集許容を開始して、膝立ち椅子に膝を乗せて膝立ちした状態での前記編集手段による編集を利用者に許容する写真撮影編集方法またはその装置であることを特徴とする。
【００１０】
前記撮影手段は、デジタルカメラ又はデジタルビデオカメラで構成することができる。  
前記編集手段は、利用者にタッチペン又は指でタッチされた座標を取得するタッチパネルやマウス等のポインティングデバイス（座標入力手段）で構成することができる。
【００１１】
前記他の取得手段は、カメラ付き携帯電話やノートパソコン等の携帯情報端末と通信する通信手段、フレキシブルディスクや不揮発性メモリ媒体等の記憶媒体に記憶の情報を読取る記憶媒体読取手段、写真や絵画等の実画像をスキャニングするスキャナ等、画像データを取り込み可能なデータ取込手段で構成することができる。
【００１２】
前記取得画像は、通信手段又は記憶媒体読取手段等のデータ取込手段で取得する画像、すなわち個人用デジタルカメラでの撮影やパソコンでのグラフィック制作等によるデジタル画像や、写真や絵画等の実画像をスキャナでスキャニングしたスキャニング画像で構成することができる。
【００１３】
前記所定の画像は、前記撮影画像、前記デジタル画像、又は前記スキャニング画像等の編集前の画像、又はこれら編集前の画像を編集手段で編集した編集画像、又は、前記編集前の画像又は／及び前記編集画像から選択された複数の画像で構成することができる。
【００１４】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。  
前記利用者検知手段は、前記膝立ち椅子に設けられて利用者が乗ることでの加重の有無を検知する加重センサ、利用者が近づいたことを検知する近接センサなど、適宜のセンサで構成することができる。
【００１５】
この発明の態様として、前記膝立ち椅子の横幅を、前記編集手段の正面に形成される編集空間の横幅全体の長さに形成することができる。  
前記編集空間は、編集用に利用者に提供する空間を指し、前記編集手段の設けられた筐体の横幅全体からその正面へ一定範囲の空間、前記編集手段に利用者の手が届く範囲の空間、又は、カーテン等の仕切り部材で外界（娯楽施設の通路等）と仕切られた空間で構成することができる。
【発明の効果】
【００１６】
この発明により、利用者にとって利便性が高い写真撮影編集方法およびその装置を提供することができる。
【発明を実施するための最良の形態】
【００１７】
この発明の一実施形態を以下図面と共に説明する。  
図１は写真シール作成装置１を正面側から見た斜視図を示し、図２は写真シール作成装置１を背面側から見た斜視図を示し、図３は写真シール作成装置１を上方から見た平面図を示し、図４は編集筐体２を右側面から見た斜視図を示す。
【００１８】
写真シール作成装置１は、撮影筐体３の裏面（図１の正面）に編集筐体２が配設され、撮影筐体３の表面（図１の背面）に撮影空間７を隔てて背景部材５が配設されている。撮影空間７の上方には、天板４が設けられている。  
撮影筐体３と編集筐体２は、撮影筐体３の裏面の左右方向中央に編集筐体２の一側面が当接する状態で配置されている。
【００１９】
撮影筐体３の表面には、図２に示すように、中央にデジタルカメラ３１が設けられ、その下方にライブビューモニタ３２、および液晶パネル３３がこの順で配設されている。ここで、デジタルカメラ３１は、撮影空間７にいる被写体（利用者）を、背景部材５の表面（図１の正面）が背景となるように撮影し、撮影画像を取得する。ライブビューモニタ３２は、撮影中の画像を動画表示（ライブビュー）するものであり、液晶パネル３３は、撮影画像や操作ボタンを表示し、表面に重ねて設けられているタッチパネルへのタッチ入力を受け付ける。  
編集筐体２の左側面には、上方から順に、編集空間照明装置２１ａ、液晶パネル２３ａとタッチペン２２ａ、スピーカ２６ａが配設されている。
【００２０】
編集空間照明装置２１ａは、蛍光灯などで構成され、編集空間を連続光で明るく照明する。
【００２１】
液晶パネル２３ａは、液晶ディスプレイと該液晶ディスプレイの表面に重ねて設けられたタッチパネルとで構成されており、編集画像、編集用アイテム、および印刷レイアウトなどの画像を表示し、左右に１つずつ計２つ配設されたタッチペン２２ａ，２２ａによるタッチ入力を許容する。この液晶パネル２３ａは、編集筐体２の傾斜面に設けられており、表面を斜め上方に向けて利用者が見やすいように配置している。
【００２２】
編集筐体２の右側面には、左側面と同一の構成要素（編集空間照明装置２１ｂ、液晶パネル２３ｂとタッチペン２２ｂ、およびスピーカ２６ｂ）が左右対称に設けられている。
【００２３】
編集筐体２の正面には、発光ランプ２４ａ，２４ｂ、および写真シール排出口２５ａ，２５ｂがそれぞれ左右対称に設けられている。写真シール排出口２５ａ，２５ｂは、編集画像を適宜のレイアウトに配置してシール紙に印刷した写真シールシートを排出する。発光ランプ２４ａ，２４ｂは、写真シールシートを排出したこと、あるいは排出することを点滅や点灯によって利用者に知らせる。ここで、左側の発光ランプ２４ａは、左側の写真シール排出口２５ａから写真シールシートを排出する際に点滅あるいは点灯し、右側の発光ランプ２４ｂは、右側の写真シール排出口２５ｂから写真シールシートを排出する際に点滅あるいは点灯する。
【００２４】
図３に示すように、編集筐体２の左右両側に構成される編集空間８ａ，８ｂには、膝立ち椅子１０ａ，１０ｂがそれぞれ配設されている。この膝立ち椅子１０ａ，１０ｂは、いずれも背もたれや手摺等が存在せず、クッション面（上面）が略長方形の長椅子であり、液晶パネル２３を正面とする横幅が編集筐体２の横幅Ｌと略同一の長さになるように構成されている。
【００２５】
膝立ち椅子１０ａは、クッション部材の上面に合成皮革や天然比較や布などのカバーが設けられた台部１１ａと、該台部１１ａの四隅下方に設けられた足部１２ａとで構成されている。膝立ち椅子１０ａの上面から接地面までの高さＨは、利用者（好ましくは女子中高校生の利用者）の膝丈程度の高さに形成されている。
【００２６】
この膝立ち椅子１０ａと液晶パネル２３ａの位置関係は、膝立ち椅子１０に膝を載せて膝立ちしている利用者の腹部位置から胸部位置程度の高さに液晶パネル２３ａが位置する関係に構成されている。  
膝立ち椅子１０ｂは、前記膝立ち椅子１０ａと同一の形状に形成されている。
【００２７】
また、編集筐体２の正面側には、写真シール排出口２５ａ，２５ｂの前方位置に印刷空間９が構成されている。
【００２８】
図５は写真シール作成装置１のブロック図を示す。  
写真シール作成装置１は、制御装置５２に接続して、ＲＯＭ４１、ＲＡＭ４２、硬貨処理部４４、照明装置４５、デジタルカメラ３１、撮影表示部４７、画像表示部４８、スピーカ４９、記憶部５１、センサ５５、編集表示部５６、タッチパネル５７、スピーカ２６、ＩＤタグリーダライタ６１、およびプリンタ６２が設けられている。
【００２９】
硬貨処理部４４は、投入された硬貨の金種判別、真偽判別を実行し、プレイ金額以上の硬貨投入を検知すると制御装置５２に起動信号を送信する。また、制御装置５２の制御に従って、釣銭の払い出し等も実行する。
【００３０】
照明装置４５は、閃光を発するストロボ発光体や、連続光を発する蛍光灯などの照明手段により構成され、制御装置５２の照明制御信号に従って撮影空間７を照明する。
【００３１】
デジタルカメラ３１は、制御装置５２から受信するシャッタ信号に従って撮影を実行し、該撮影によって取得した撮影画像の画像データを制御装置５２に送信する。
【００３２】
撮影表示部４７は、ライブビューモニタ３２（図２参照）で構成され、制御装置５２から受信するＲＧＢ信号に従って、撮影中の画像を動画表示（ライブビュー）する。
【００３３】
画像表示部４８は、前述した液晶パネル３３（図２参照）で構成され、制御装置５２から受信したＲＧＢ信号に従って撮影画像や制限時間などの画像を表示する。
【００３４】
スピーカ４９は、制御装置５２から受信する音声信号に従って音声で利用者に案内する。  
記憶部５１は、ハードディスクで構成され、制御装置５２に設定情報を送信し、制御装置５２から受信した設定情報を保存する。
【００３５】
制御装置５２は、ＲＯＭ４１に記憶されたプログラムに従って、ＲＡＭ４２を一時記憶として利用し、記憶部５１をデータやプログラムの記憶に利用して各種処理を実行する。
【００３６】
センサ５５は、膝立ち椅子１０（１０ａ，１０ｂ）の台部１１（１１ａ，１１ｂ）の表面に設けられた圧力センサであり、利用者が乗ったことを検知した検知信号を制御装置５２に送信する。このセンサ５５は、膝立ち椅子１０の上面全体に設けて、どこかに利用者が乗ったことを検知する構成にしてもよく、また、膝立ち椅子１０の横方向に複数に分割配置して利用者がどこに乗ったか、何人乗ったかを検知する構成にしてもよい。また、センサ５５は、無線によって制御装置５２と通信する構成にしてもよい。この場合、膝立ち椅子１０の移動が容易になり、設置環境に合わせて適宜の位置に備えることが容易になる。
【００３７】
編集表示部５６およびタッチパネル５７は、液晶パネル２３（２３ａ，２３ｂ）により構成されており、制御装置５２から受信するＲＧＢ信号に従って編集表示部５６が画像を表示し、タッチペン２２（２２ａ，２２ｂ）でタッチ入力されたタッチ入力信号をタッチパネル５７が制御装置５２に送信する。  
スピーカ２６（２６ａ，２６ｂ）は、制御装置５２から受信する音声信号に従って音声で利用者に案内する。
【００３８】
ＩＤタグリーダライタ６１は、制御装置５２からの設定情報読み込み信号と設定情報書き込み信号に従って、シール紙ユニット６３に設けられたＩＤタグ６４に記憶している設定情報を読み書きする。  
プリンタ６２は、制御装置５２から受信する印刷データに従って、シール紙ユニット６３に設けられたシール紙６５に画像を印刷する。
【００３９】
図６は、写真シール作成装置１の制御装置５２の動作を示すフローチャートである。  
制御装置５２は、硬貨処理部４４から硬貨投入を検知しての起動信号を受け（ステップＳ１）、撮影処理を実行する（ステップＳ２）。この撮影処理では、様々な撮影モードで照明に変化をつけて種々の撮影画像を取得する。
【００４０】
制限時間が経過するか、最大枚数の撮影画像を取得するか、撮影終了が選択されると、制御装置５２は画像表示部４８に移動案内画面を表示する（ステップＳ３）。この移動案内画面は、液晶パネル２３のうち、現在空いている側の液晶パネル２３を備えた編集空間８（８ａ，８ｂ）へ移動するように図と文字で案内する。このとき、スピーカ４９から音声による案内も実行する。
【００４１】
制御装置５２は、移動案内した編集空間８の液晶パネル２３を使用した編集処理を実行する（ステップＳ４）。
【００４２】
制御装置５２は、液晶パネル２３の編集表示部５６に移動案内画面を表示し、利用者に写真シール排出口２５（２５ａ，２５ｂ）に移動するように図と文字で案内する（ステップＳ５）。このとき、スピーカ２６から音声による案内も実行する。
【００４３】
制御装置５２は、編集画像をレイアウトに沿って配置した印刷画像をシール紙に印刷する印刷処理を実行する（ステップＳ６）。  
制御装置５２は、印刷終了した写真シールシートを写真シール排出口２５から排出する（ステップＳ７）。このとき、排出している写真シール排出口２５に対応する発光ランプ２４（２４ａ，２４ｂ）を点滅あるいは点灯し、写真シールシートを排出していることを利用者に知らせる。
【００４４】
図７は、前記編集処理（ステップＳ４）での制御装置５２の動作を示すフローチャートである。  
編集処理に入ると、制御装置５２はデジタルカメラ３１での撮影による撮影画像がそのまま保存された保存画像を取得し（ステップＳ１１）、液晶パネル２３に編集開始ボタンを表示する（ステップＳ１２）。
【００４５】
制御装置５２は、利用者にタッチペン２２で液晶パネル２３上の編集開始ボタンがタッチされるか、センサ５５から利用者が膝立ち椅子１０に乗ったこと知らせる検知信号を受信するまで（ステップＳ１３：ＮＯ）、編集開始時間のカウントダウンを実行する（ステップＳ１４）。このカウントダウンは、液晶パネル２３に表示する残り時間を随時更新して表示することと、これに合わせてスピーカ２６で残り時間を音声で知らせることにより実行する。  
制御装置５２は、タイマーが０となって編集開始の制限時間が経過するまでステップＳ１３に処理を戻す（ステップＳ１５：ＮＯ）。
【００４６】
前記ステップＳ１３で、編集開始ボタンがタッチされるかセンサ５５で利用者が膝立ち椅子１０に乗ったことを検知し（ステップＳ１３：ＹＥＳ）、あるいは前記ステップＳ１５でタイマーが０になると（ステップＳ１５：ＹＥＳ）、制御装置５２は、編集入力の受付を開始する（ステップＳ１６）。つまり、この段階で始めて液晶パネル２３に編集画面を表示する。このように利用者が編集開始するまで編集画面を表示しないことで、編集空間８後方の通路を通る他人に利用者の撮影画像が覗き見されるといったことを防止している。
【００４７】
制御装置５２は、液晶パネル２３に編集画像を表示し、編集を許容する（ステップＳ１７）。このときの編集画面には、複数枚の撮影画像を小さくサムネイル表示するサムネイル画像と、撮影画像を大きく表示して編集許容する編集画像と、ペンツールや塗りつぶしツールや文字ツールやスタンプツールといったツール画像等を表示する。そして、これらのツールを使用した撮影画像の編集を許容する。
【００４８】
制御装置５２は、制限時間が経過するか、編集画面に表示している終了ボタンが押下されるまでステップＳ１７に戻り（ステップＳ１８：ＮＯ）、制限時間が経過するか終了ボタンが押下されると（ステップＳ１８：ＹＥＳ）、編集入力の受付を終了（ステップＳ１９）し、編集処理を終了する。
【００４９】
以上の構成および動作により、図８の写真シール作成装置１の正面図（編集筐体２の側面図）に示すように、利用者は膝立ち椅子１０に膝立ちすることができ、この膝立ちした姿勢でタッチペン２２を使用して液晶パネル２３をタッチし、画像編集を行うことができる。
【００５０】
このタッチ入力による編集を行うに際して、利用者は膝立ち椅子１０に乗るだけで編集開始することができ、必ずしも編集開始ボタンを押下する必要がないため利便性が向上する。詳述すると、仮に編集開始ボタンを押下しないと編集開始しないとすれば、利用者は編集開始ボタンを押下して始めて編集画面を見ることになり、それからサムネイル画像や編集用のツールが画面上にどのように配置されているかを確認することになる。これに対して、膝立ち椅子１０に乗るだけで編集開始することで、利用者はタッチペン２２を取る前に編集画面を確認できる。従って、利用者は膝立ち椅子１０に乗ってすぐに液晶パネル２３の編集画面を確認でき、サムネイル画像や編集用のツールの画面上の配置を確認した上で、どの撮影画像から編集するかとか、どのツールを利用するかとか考えながらタッチペン２２を手に取ることができ、時間を有効利用できる。また施設の経営者にとっては無駄な時間を省いて１利用者に占有される１ゲームの時間を短縮でき、単位時間当たりのゲーム数をなるべく多く確保することができる。
【００５１】
また、膝立ち椅子１０は編集空間８の横幅Ｌの全体に渡る幅に形成されているため、多人数の利用者が横並びに並んで編集を行うことができる。  
また、膝立ち椅子１０は背もたれ等の上方へ突出する部分が存在しない平坦な上面を有しているため、利用者は、編集空間８の外側から液晶パネル２３に近づいて膝立ち椅子１０に膝立ちするだけで編集操作する体勢に移行できる。従って、２人もしくは多人数の利用者が膝立ち椅子１０の横から回り込んで奥から順番に一人ずつ座るといった必要がなく、利便性が向上し、また撮影終了から編集開始までの時間を短縮できる。この時間短縮の効果は、１グループの利用者の人数が増えるほど顕著に現れる。
【００５２】
また、椅子をまたいで座るといった動作は、一旦椅子をまたいだ後に椅子の位置を確認してから座り、それから液晶パネル２３を見るという時間の長い動作になるが、膝立ち椅子１０に膝立ちする動作は、膝立ち椅子１０を確認して膝を乗せればすぐに液晶パネル２３を見ることができて時間の短い動作になるため、利用者は短時間で編集体勢に移行できる。特に１グループの利用者の人数が多い場合には、全員が同時に椅子をまたぐことが困難であるため、この時間差は大きくなり、膝立ち椅子１０による時間短縮の効果は顕著に表れる。
【００５３】
また、多人数で編集する際、特に編集用のタッチペン２２の数より多い人数の利用者で編集する際には、利用者は交代で編集を行うことになる。そうすると、利用者は液晶パネル２３右側のタッチペン２２で編集してこのタッチペン２２を別の利用者に譲り、膝立ちしている場所を変えて次は液晶パネル２３左側のタッチペン２２を他の利用者から譲り受けて編集するといった行動をとる。また、膝立ち椅子１０に膝立ち可能な人数より利用者の人数が多いと、膝立ちできない利用者は膝立ちしている利用者の肩越しに液晶パネル２３を見、交代を催促してタッチペン２２を受け取り、今まで編集していた利用者に膝立ち椅子１０上の場所を空けてもらってその場所に膝立ちして編集するといった行動をとる。こういった場合に、膝立ち椅子１０は場所の交代が容易である。この膝立ち椅子１０により、利用者はわいわい話しながら場所を交代しつつ自由に編集することができる。
【００５４】
また、従来のようにソファ等を使用した場合であれば、ソファ等の左右両側部が施設の壁面や写真シール作成装置の編集筐体２等に近接すると利用者がソファ等に横から出入りできなくなるため、ソファ等の左右両横に利用者が通過できる空間を設ける必要があったが、膝立ち椅子１０の上面は平坦であるため、このような空間を設ける必要がなく編集空間８の横幅一杯に膝立ち椅子１０を備えることができる。
【００５５】
また、利用者は膝立ち椅子１０に膝立ちするだけでなく、膝の位置はそのままで正座することもでき、この正座姿勢で液晶パネル３３にタッチ入力して編集することもできる。従って、利用者は膝立ち姿勢や正座姿勢といった好みの姿勢で編集でき、膝立ち姿勢が疲れれば正座姿勢に、正座姿勢が疲れれば膝立ち姿勢に姿勢を変えて、長時間の編集を行うことができる。
【００５６】
膝立ち椅子１０の高さＨは、通常の腰掛椅子より低い利用者の膝丈程度の高さに形成したため、立位の利用者が膝から下を曲げるだけで容易に膝立ち姿勢で膝立ち椅子１０上に乗ることができ、また容易に膝立ち椅子１０から降りて立つことができる。つまり、立位姿勢から膝立ち椅子１０に膝立ち姿勢で乗る際と、逆に降りる際に、利用者は膝の高さを変えることなく乗り降りできるため、登ったり降りたりする感覚がなく、膝立ち椅子１０に楽に乗り降りできる。
【００５７】
なお、図８に仮想線で示すように、液晶パネル２３の下方位置に、編集筐体２から膝立ち椅子１０側へ突出する肘置き台２７（２７ａ，２７ｂ）を設けても良い。この肘置き台２７は、液晶パネル２３の横幅より広い横幅に形成すると良い。これにより、利用者は肘置き台２７に肘を置くことができるため、膝を折り曲げた正座姿勢で前かがみになって肘置き台２７に肘を置いて編集することができる。
【００５８】
また、図８に仮想線で示すように、膝立ち椅子１０を編集筐体２側へ向けて奥行きを長く形成しても良い。この場合は、膝立ち椅子１０上面の編集筐体２側部分に荷物を置くことができ、利用者にとっての利便性が向上する。
【００５９】
また、膝立ち椅子１０は高さ調整できるように構成してもよい。これにより、利用者が身長に合わせて自分で高さを調整する、あるいは、施設での写真シール作成装置１の設置環境に合わせて高さ調整するといったことができる。
【００６０】
また、図９（Ａ）の拡大斜視図に示すように、膝立ち椅子１０の足部１２をコ字型に形成し、接地側のアーム１３の前方先端を編集筐体２の下部に設けた支持穴１４に挿入してもよい。これにより、アーム１３の先端が十分前方（編集筐体２側）に位置して接地するため、膝立ち椅子１０に乗っている利用者が前方に加重をかけても膝立ち椅子１０が前方に倒れず、利用者は安定して膝立ち椅子１０に乗ることができる。またこれにより、膝立ち椅子１０に乗っている利用者が後方に加重をかけても、アーム１３が支持穴１４で編集筐体２の重量を受けて支持されるため、膝立ち椅子１０が後方（編集筐体２との反対側）に倒れず、利用者は安定して膝立ち椅子１０に乗ることができる。ここで、利用者が膝立ち姿勢から正座姿勢に移行する際、利用者は尻部が靴のかかとで汚れないように膝立ち椅子１０の上面後端に足首を位置させて足首から先を下方に曲げて正座することになる。このとき、尻部の位置および重心が膝立ち椅子１０より後方に移動することになるが、このような場合でも膝立ち椅子１０が後方に倒れないため、利用者は安定して正座姿勢に姿勢を変更できる。さらにこの場合、台部１１より後方に足部１２を突出させる必要がないため、膝立ち椅子１０の後方の通路などを広くとることができる。またこの場合、アーム１３内にセンサ５５を制御装置５２と接続するケーブルを挿通してもよい。
【００６１】
また、図９（Ｂ）の拡大斜視図に示すように、膝立ち椅子１０ａ，１０ｂの足部１２ａ，１２ｂの接地面となるアーム１３を連続するアームで形成してもよい。この場合も、図９（Ａ）の構成と同様に、膝立ち椅子１０は前後方向に倒れず、利用者は安定して膝立ち椅子１０上で姿勢を変更することができる。
【００６２】
また、編集対象画像としてデジタルカメラ３１による撮影画像以外の他の取得画像を取得する取得手段として、フラッシュメモリやフレキシブルディスクなどの記憶媒体から画像データを取得するドライブ装置、あるいはインターネットを通じて携帯情報端末やサーバから画像データを取得する通信装置などを備えても良い。
【００６３】
この発明の構成と、上述の実施形態との対応において、
この発明の写真撮影編集装置は、実施形態の写真シール作成装置１に対応し、
以下同様に、
編集手段は、タッチペン２２、液晶パネル２３、およびタッチパネル５７に対応し、
撮影手段は、デジタルカメラ３１に対応し、
編集開始手段は、ステップＳ１３を実行する制御装置５２に対応し、
利用者検知手段は、センサ５５に対応し、
出力手段は、プリンタ６２に対応し、
横幅全体の長さは、横幅Ｌに対応し、
他の取得手段は、ドライブ装置および通信装置に対応し、
取得画像は、画像データに対応するも、
この発明は、上述の実施形態の構成のみに限定されるものではなく、多くの実施の形態を得ることができる。
【図面の簡単な説明】
【００６４】
【図１】写真シール作成装置を正面側から見た斜視図。
【図２】写真シール作成装置を背面側から見た斜視図。
【図３】写真シール作成装置を上方から見た平面図。
【図４】編集筐体周辺を右側面から見た斜視図。
【図５】写真シール作成装置のブロック図。
【図６】写真シール作成装置の制御装置の動作を示すフローチャート。
【図７】編集処理での制御装置の動作を示すフローチャート。
【図８】編集筐体周辺の正面図。
【図９】他の実施形態の説明図。
【符号の説明】
【００６５】
１…写真シール作成装置
８ａ，８ｂ…編集空間
１０ａ，１０ｂ…膝立ち椅子
２２ａ，２２ｂ…タッチペン
２３ａ，２３ｂ…液晶パネル
３１…デジタルカメラ
５２…制御装置
５５…センサ
５７…タッチパネル
６２…プリンタ
Ｌ…横幅
【図１】
0004702047.tif 000002
【図２】
0004702047.tif 000003
【図３】
0004702047.tif 000004
【図４】
0004702047.tif 000005
【図５】
0004702047.tif 000006
【図６】
0004702047.tif 000007
【図７】
0004702047.tif 000008
【図８】
0004702047.tif 000009
【図９】
0004702047.tif 000010